(57)【要約】【課題】  モニタにオートワイド機能付きのワイドテレビジョン受像機を使用したときにも、良好にＯＳＤデータを表示することができるようにすることを目的とする。【解決手段】  主映像と副映像とから成る映像信号を再生して表示出力すると共に所定の情報を示すＯＳＤデータを表示出力し、ワイド表示領域に表示するようにした映像再生装置であって、この映像信号がワイド対応信号であり且つこの主映像の下側にこの副映像を表示するようにしたときに、このＯＳＤデータをこの副映像領域に表示するようにしたものである。【選択図】        図２
2007028524.tif 000002
【特許請求の範囲】
【請求項１】
主映像と副映像とから成る映像信号を再生して表示出力すると共に所定の情報を示すＯＳＤデータを表示出力し、ワイド表示領域に表示するようにした映像再生装置であって、
前記映像信号がワイド対応信号であり且つ前記主映像の下側に前記副映像を表示するようにしたときに、前記ＯＳＤデータを前記副映像領域に表示するようにしたことを特徴とする映像再生装置。
【請求項２】
請求項１記載の映像再生装置において、
前記主映像に前記副映像を重畳して表示するようにしたとき、前記ＯＳＤデータを前記主映像に重畳して表示するようにしたことを特徴とする映像再生装置。
【請求項３】
主映像と副映像とから成る映像信号を再生して表示出力すると共に所定の情報を示すＯＳＤデータを表示出力し、ワイド表示領域に表示するようにした映像再生方法であって、
前記映像信号がワイド対応信号であり且つ前記主映像の下側に前記副映像を表示するようにしたときに、前記ＯＳＤデータを前記副映像領域に表示するようにしたことを特徴とする映像再生方法。
【発明の詳細な説明】
【技術分野】
【０００１】
本発明は、例えばＤＶＤ（Digital Versatile Disc）プレーヤよりの主映像と副映像とからなる映像信号を再生して表示出力すると共に所定の情報を示すＯＳＤ（On Screen Display）データを表示出力し、オートワイド機能付きのワイドテレビジョン受像機で表示するようにした映像再生装置及び映像再生方法に関する。
【背景技術】
【０００２】
近年、映像情報を記録するための大容量の記録媒体としてＤＶＤがある。このＤＶＤを記録媒体として用いる映像再生装置は、映像情報が記録されたＤＶＤをＤＶＤプレーヤに装着し、このＤＶＤプレーヤよりの再生信号をＤＶＤデコーダにより、符号化された映像情報や音声情報を復号化し、この複合化した信号をモニタに供給して視聴する如くされている。
【０００３】
ところで、このＤＶＤには、映像信号として、映画等の映像に対応する主映像データに加え字幕等の文字情報を含む副映像データを併せ有するものがある。この場合、モニタにおいては、映画等の主映像と併せて字幕等の文字情報を画面表示するようになされている。
【０００４】
また、このような映像再生装置はＯＳＤ機能を備えており、モニタの表示画面にＤＶＤのチャンネル番号、タイトル情報、チャプター情報等のＯＳＤ用文字列を表示することが行われている（特許文献１参照）。
【特許文献１】特開２００２−１６８８５号公報
【発明の開示】
【発明が解決しようとする課題】
【０００５】
然しながら、この映像再生装置のモニタとしてオートワイド機能付きの画面の縦横比９：１６のワイドテレビジョン受像機を使用したときには、ワイドテレビジョン受像機におけるワイド表示領域１は縦横比９：１６の図１０に示すＷＶ×ＷＨの領域であり、ＤＶＤプレーヤよりの再生映像信号は縦横比が３：４の画面であり、この縦横比が３：４の映像信号の表示領域２は図１０に示すＶ×Ｈの領域であり、この場合縦横比３：４の表示領域２の目立たない隅の方、例えば図１０に示すように左上隅に表示するようになされていたＯＳＤ表示位置３はワイド表示領域１よりはみ出すこととなり、ワイド画面では表示できないこととなる。
【０００６】
更に、オートワイド機能付きのワイドテレビジョン受像機においては、副映像が字幕であるときには、図１１に示す如く字幕表示のためワイド表示領域１が画面下方に下げることとしており、ＯＳＤデータが見切れワイドテレビジョン受像機の画面では表示できなくなる不都合があった。
【０００７】
本発明は、斯かる点に鑑み、モニタにオートワイド機能付きのワイドテレビジョン受像機を使用したときにも、良好にＯＳＤデータを表示することができるようにすることを目的とする。
【課題を解決するための手段】
【０００８】
本発明映像再生装置は、主映像と副映像とから成る映像信号を再生して表示出力すると共に所定の情報を示すＯＳＤデータを表示出力し、ワイド表示領域に表示するようにした映像再生装置であって、この映像信号がワイド対応信号であり且つこの主映像の下側にこの副映像を表示するようにしたときにこのＯＳＤデータをこの副映像領域に表示するようにしたものである。
【０００９】
本発明映像再生方法は、主映像と副映像とから成る映像信号を再生して表示出力すると共に所定の情報を示すＯＳＤデータを表示出力し、ワイド表示領域に表示するようにした映像再生方法であって、この映像信号がワイド対応信号であり且つこの主映像の下側にこの副映像を表示するようにしたときに、このＯＳＤデータをこの副映像領域に表示するようにしたものである。
【発明の効果】
【００１０】
本発明によれば、映像信号がワイド対応信号であり且つこの主映像の下側にこの副映像を表示するようにしたときに、このＯＳＤデータをこの副映像領域に表示するようにしたので、オートワイド機能付きのワイドテレビジョン受像機をモニタとして用いたときにもＯＳＤデータを良好に視認することができる。
【発明を実施するための最良の形態】
【００１１】
以下、図面を参照して本発明映像再生装置及び映像再生方法を実施するための最良の形態の例につき説明する。
【００１２】
図１は、本発明映像再生装置の構成例を示す。この図１において、１０はＤＶＤを装着し、このＤＶＤを再生するＤＶＤプレーヤを示し、このＤＶＤプレーヤ１０よりの再生信号をＤＶＤデコーダ１１に供給する。
【００１３】
このＤＶＤデコーダ１１はＤＶＤプレーヤ１０よりの再生信号である符号化された映像情報や音声情報を復号化すると共にこの複合化されたアナログ信号の映像信号に所望のＯＳＤデータを付加して出力する如く構成されたものである。
【００１４】
この場合、ＤＶＤデコーダ１１で複合化された映像信号は縦横比３：４の画面に対応した映像信号である。このＤＶＤデコーダ１１で複合化されたアナログ信号の映像信号をＯＳＤデータの表示位置を制御するＯＳＤコントローラ１２を介して周知のオートワイド機能付きの表示画面の縦横比が９：１６のワイドテレビジョン受像機１３に供給する。
【００１５】
このワイドテレビジョン受像機１３はオートワイド機能が付いているのでワイド対応の映像信号が供給されたときは表示画面はワイド表示領域１だけとなる。
【００１６】
本例においては、ＤＶＤデコーダ１１の出力側に得られる複合化されたアナログ信号の映像信号をローパスフィルタ１４を介してマイクロコンピュータ１５に供給する。また、このＤＶＤデコーダ１１の出力側に得られる複合化されたアナログ信号の映像信号を同期分離回路１６に供給し、この同期分離回路１６で垂直同期信号及びコンポジット同期信号（水平同期信号）を分離し、この同期分離回路１６の出力側に得られる垂直同期信号及びコンポジット同期信号を夫々マイクロコンピュータ１５に供給する。
【００１７】
このマイクロコンピュータ１５においては、例えば図３に示す如き縦横比３：４の映像画面に得られる例えば図４に示す如きＤＶＤデコーダ１１よりの映像信号より、図５に示す如きフローチャートに基づきワイド対応信号であるかどうか、図６に示す如きフローチャートに基づき映像信号があるかどうか、図７に示す如きフローチャートに基づき字幕領域が主映像の下側にあるかどうか判断し、図２のフローチャートに従ってＯＳＤデータの表示位置３を決定する。
【００１８】
このＯＳＤデータの表示位置３を図２のフローチャートに従い説明するに、スタートしたときは、先ずＤＶＤデコーダ１１の出力側に得られる映像信号がワイド対応信号であるかどうかのワイド検出を行う（ステップＳ１）。
【００１９】
このワイド検出は、図５のフローチャートに従って行う。この図５のフローチャートのワイド検出のスタート後、図３に示す如き、縦横比３：４の映像画面で水平ラインの３０本目が来たかどうかを判断する（ステップＳ５１）。この場合、例えば奇数フィールドで判断するので、全水平ライン数は例えば２６２．５本である。
【００２０】
水平ラインの３０本目が来たときには、水平ラインの４０本目が来たかどうかを判断する（ステップＳ５２）と共にこの水平ラインの３０本目から水平ラインの４０本目までの映像信号の平均値を取得且つ映像の有無を検出する（ステップＳ５３）。この水平ラインの４０本目が来たときに、この水平ラインの３０本目から水平ラインの４０本目の間に映像があったかどうかを判断する（ステップＳ５４）。
【００２１】
このステップＳ５４で、映像が無いときは、ワイド対応信号と判定し（ステップＳ５５）、映像が有るときにはワイド対応でないフルスクリーン（縦横比３：４の映像信号）と判定して（ステップＳ５６）、ワイド検出を終了する。
【００２２】
その後、図２のフローチャートのステップＳ２に移行して、ワイド対応信号であるかどうかを判断する。このステップＳ２でワイド対応信号であると判断したときには、ステップＳ３に移行し、映像があるかないかの映像検出を行う。
【００２３】
この映像検出は、図６のフローチャートに従って行う。この図６のフローチャートの映像検出のスタート後、図３に示す如き、縦横比３：４の映像画面で水平ラインの１３０本目が来たかどうかを判断する（ステップＳ６１）。この場合、例えば奇数フィールドで判断するので、全水平ライン数は例えば２６２．５本である。
【００２４】
水平ラインの１３０本目が来たときには、水平ラインの１５０本目が来たかどうかを判断する（ステップＳ６２）と共にこの水平ラインの１３０本目から水平ラインの１５０本目までの映像信号の平均値を取得且つ映像の有無を検出する（ステップＳ６３）。この水平ラインの１５０本目が来たときに、この水平ラインの１３０本目から水平ラインの１５０本目の間に映像があったかどうかを判断する（ステップＳ６４）。
【００２５】
このステップＳ６４で、映像が有るときは、映像有りと判定し（ステップＳ６５）、映像が無いときにはブランクと判定して（ステップＳ６６）、映像検出を終了する。
【００２６】
その後、図２のフローチャートのステップＳ４に移行して、映像があるかどうかを判断する。このステップＳ４で映像があると判断したときには、ステップＳ５に移行し、字幕領域が主映像の下側にあるかないかの字幕検出を行う。
【００２７】
この場合、字幕領域が主映像の下側にあるときは、このマイクロコンピュータ１５で、オートワイド機能付きのワイドテレビジョン受像機１３と同様に図１１に示す如くワイド表示領域１を下方に下げた状態とする。このときのマイクロコンピュータ１５に得られる映像信号は、図４に示す如きものとなる。
【００２８】
この字幕検出は、図７のフローチャートに従って行う。この図７のフローチャートの字幕検出のスタート後、図３に示す如き、縦横比３：４の映像画面で水平ラインの２３０本目が来たかどうかを判断する（ステップＳ７１）。この場合、例えば奇数フィールドで判断するので、全水平ライン数は例えば２６２．５本である。
【００２９】
水平ラインの２３０本目が来たときには、水平ラインの２５０本目が来たかどうかを判断する（ステップＳ７２）と共にこの水平ラインの２３０本目から水平ラインの２５０本目までの映像信号の平均値を取得且つ映像の有無を検出する（ステップＳ７３）。この水平ラインの２５０本目が来たときに、この水平ラインの２３０本目から水平ラインの２５０本目の間に映像があったかどうかを判断する（ステップＳ７４）。
【００３０】
このステップＳ７４で、映像があったときは、主映像の下側に字幕領域ありと判定し（ステップＳ７５）、映像が無いときには、主映像の下側に字幕領域なしと判定して（ステップＳ７６）、字幕検出を終了する。
【００３１】
その後、図２のフローチャートのステップＳ６に移行し、主映像２０の下側に字幕領域２１があるかどうかを判断し、図８に示す如く、主映像２０の下側に字幕領域２１があるときには、マイクロコンピュータ１５より制御信号をＯＳＤコントローラ１２に供給して、ＯＳＤ表示位置３をこの字幕領域２１の字幕と重畳しない所定位置に表示する如くする（ステップＳ７）。
【００３２】
このステップＳ６で、この主映像２０の下側に字幕領域２１がなく図９に示す如く、字幕が主映像２０である例えば映画画像に重畳して表示されているときは、マイクロコンピュータ１５より制御信号をＯＳＤコントローラ１２に供給して、ＯＳＤ表示位置３を主映像２０に重畳した目立たない所定位置即ちワイド表示領域１の目立たない所定位置とする（ステップＳ８）。
【００３３】
また、ステップＳ２でワイド対応信号でないと判断したとき及びステップＳ４で映像がないと判断したときは、この、ＯＳＤ表示位置３は図１０に示す如く、何等移動することなく標準位置に表示する（ステップＳ９）。
【００３４】
本例によれば、映像信号がワイド対応信号であり且つこの主映像２０の下側にこの副映像である字幕領域あるときには、このＯＳＤデータ表示位置３をこの副映像領域である字幕領域２１の所定位置に表示するようにしたので、図８に示す如く、オートワイド機能付きのワイドテレビジョン受像機をモニタとして用いたときにもＯＳＤデータを良好に視認することができる。
【００３５】
また、本例によれば、映像信号がワイド対応信号であり且つこの主映像２０に副映像である字幕が重畳されているときには、ＯＳＤデータ表示位置３を主映像２０に重畳しているので、図９に示す如く、ＯＳＤデータをオートワイド機能付きのワイドテレビジョン受像機で良好に表示できる。
【００３６】
以上述べた如く、本例によれば、モニタにオートワイド機能付きのワイドテレビジョン受像機を使用したときにも、良好にＯＳＤデータを表示することができる。
【００３７】
尚、本発明は上述例に限ることなく、本発明の要旨を逸脱することなく、その他種々の構成が採り得ることは勿論である。
【図面の簡単な説明】
【００３８】
【図１】本発明映像再生装置を実施するための最良の形態の例を示す構成図である。
【図２】図１の説明に供するフローチャートである。
【図３】本発明の説明に供する線図である。
【図４】本発明の説明に供する線図である。
【図５】ワイド検出の例を示すフローチャートである。
【図６】映像検出の例を示すフローチャートである。
【図７】字幕検出の例を示すフローチャートである。
【図８】本発明の説明に供する線図である。
【図９】本発明の説明に供する線図である。
【図１０】本発明の説明に供する線図である。
【図１１】本発明の説明に供する線図である。
【符号の説明】
【００３９】
１…ワイド表示領域、３…ＯＳＤ表示位置、１０…ＤＶＤプレーヤ、１１…ＤＶＤデコーダ、１２…ＯＳＤコントローラ、１３…ワイドテレビジョン受像機、１４…ローパスフィルタ、１５…マイクロコンピュータ、１６…同期分離回路
【図１】
2007028524.tif 000003
【図２】
2007028524.tif 000004
【図３】
2007028524.tif 000005
【図４】
2007028524.tif 000006
【図５】
2007028524.tif 000007
【図６】
2007028524.tif 000008
【図７】
2007028524.tif 000009
【図８】
2007028524.tif 000010
【図９】
2007028524.tif 000011
【図１０】
2007028524.tif 000012
【図１１】
2007028524.tif 000013